(57)【要約】【課題】レンズの光軸方向から見たときの形状が略四角形状となるレンズ駆動装置において、搭載されるレンズの径が大型化する場合であっても、小型化することが可能なレンズ駆動装置を提供すること。【解決手段】略四角柱状に形成されるレンズ駆動装置１は、レンズを保持し光軸方向に移動可能な可動体２と、可動体２を駆動するための駆動機構４とを備えている。駆動機構４は、レンズ駆動装置１の四隅に配置される略三角柱状の駆動用磁石部１７と、略三角筒状に巻回され、その内周面が駆動用磁石部１７の外周面と所定の隙間を介して対向配置される駆動用コイル１８と、駆動用コイル１８よりも被写体側に配置される磁性部材１９とを備えている。駆動用磁石部１７は、駆動用コイル１８との対向位置で駆動用コイル１８を通過する磁束が発生するように着磁され、磁性部材１９は、光軸方向における駆動用磁石部１７の中間位置に向かって吸引されている。【選択図】図２
2010169900.tif 000002
【特許請求の範囲】
【請求項１】
レンズの光軸方向から見たときの形状が略四角形状となるレンズ駆動装置であって、
前記レンズを保持し前記光軸方向に移動可能な可動体と、前記可動体を前記光軸方向へ駆動するための駆動機構とを備え、
前記駆動機構は、前記レンズ駆動装置の四隅の少なくとも１箇所に配置される略三角柱状の駆動用磁石部と、略三角筒状に巻回され、その内周面が前記駆動用磁石部の外周面と所定の隙間を介して対向配置される駆動用コイルと、前記駆動用コイルよりも被写体側に配置される磁性部材とを備え、
前記駆動用磁石部は、前記駆動用コイルとの対向位置で前記駆動用コイルを通過する磁束が発生するように着磁され、
前記磁性部材は、前記光軸方向における前記駆動用磁石部の中間位置に向かって吸引されていることを特徴とするレンズ駆動装置。
【請求項２】
前記可動体を移動可能に保持する固定体を備え、
前記駆動用コイルおよび前記磁性部材は、前記可動体に取り付けられ、
前記駆動用磁石部は、前記固定体に取り付けられていることを特徴とする請求項１記載のレンズ駆動装置。
【請求項３】
前記磁性部材は、前記駆動用コイルの被写体側の端面に配置されていることを特徴とする請求項１または２記載のレンズ駆動装置。
【請求項４】
前記駆動用磁石部は、前記光軸方向で重なるように配置される略三角柱状の２個の駆動用磁石片を備え、
前記光軸方向における２個の前記駆動用磁石片同士の対向面はいずれも、同じ磁極に着磁され、
前記磁性部材は、前記光軸方向における２個の前記駆動用磁石片の間に向かって吸引されていることを特徴とする請求項１から３のいずれかに記載のレンズ駆動装置。
【請求項５】
前記駆動用磁石片として、被写体側に配置される第１磁石片と、反被写体側に配置される第２磁石片とを備え、
前記光軸方向における前記第１磁石片の長さは、前記光軸方向における前記第２磁石片の長さよりも長く、
前記磁性部材は、前記光軸方向において、前記第１磁石片の反被写体側の端面よりも被写体側に配置されていることを特徴とする請求項４記載のレンズ駆動装置。
【請求項６】
前記駆動用磁石部は、前記レンズ駆動装置の四隅に配置され、
前記磁性部材は、略円環状に形成され、前記駆動用磁石部よりも前記レンズ駆動装置の径方向の内側に配置されていることを特徴とする請求項１から５のいずれかに記載のレンズ駆動装置。
【請求項７】
前記駆動用磁石部と前記磁性部材との間に生じる吸引力によって前記光軸方向に付勢された前記可動体が当接する当接部材を備え、
前記可動体が前記当接部材に当接している所定の基準位置に前記可動体があるときに、前記光軸方向における前記駆動用磁石部の磁気的中心位置と前記光軸方向における前記駆動用コイルの中心位置とがずれ、かつ、前記可動体が可動範囲内の所定位置にあるときに、前記光軸方向における前記駆動用磁石部の磁気的中心位置と前記光軸方向における前記駆動用コイルの中心位置とが一致するように、前記駆動用磁石部と前記駆動用コイルとが配置されていることを特徴とする請求項１から６のいずれかに記載のレンズ駆動装置。
【請求項８】
前記光軸方向における前記駆動用コイルの幅は、前記光軸方向で対向する２個の前記駆動用磁石片同士の前記対向面の間の距離以上となっていることを特徴とする請求項４または５記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等に搭載されるカメラの撮影用レンズを駆動するレンズ駆動装置として、複数のレンズを保持して光軸方向に移動する移動レンズ体と、２枚の板バネを介して移動レンズ体を移動可能に保持する固定体とを備えるレンズ駆動装置が知られている（たとえば、特許文献１参照）。この特許文献１に記載のレンズ駆動装置では、移動レンズ体を構成する円筒状のスリーブの外周に駆動用コイルが巻回されている。また、このレンズ駆動装置では、駆動用コイルの外周面に対向するように、４個の磁石が配置されている。
【先行技術文献】
【特許文献】
【０００３】
【特許文献１】特開２００８−５８６５９号公報
【発明の概要】
【発明が解決しようとする課題】
【０００４】
近年、携帯電話等に使用されるカメラの市場では、カメラの小型化の要求が一段と高まっており、そのため、カメラに搭載されるレンズ駆動装置の小型化の要求も一段と高まっている。一方で、近年、携帯電話等に使用されるカメラの市場では、高画素化、高解像度化の要求が高まっており、レンズ駆動装置に搭載されるレンズの径が大型化する傾向にある。そのため、レンズ駆動装置を小型化することが困難な状況が生じつつある。
【０００５】
そこで、本発明の課題は、レンズの光軸方向から見たときの形状が略四角形状となるレンズ駆動装置において、搭載されるレンズの径が大型化する場合であっても、小型化することが可能なレンズ駆動装置を提供することにある。
【課題を解決するための手段】
【０００６】
上記の課題を解決するため、本発明のレンズ駆動装置は、レンズの光軸方向から見たときの形状が略四角形状となるレンズ駆動装置であって、レンズを保持し光軸方向に移動可能な可動体と、可動体を光軸方向へ駆動するための駆動機構とを備え、駆動機構は、レンズ駆動装置の四隅の少なくとも１箇所に配置される略三角柱状の駆動用磁石部と、略三角筒状に巻回され、その内周面が駆動用磁石部の外周面と所定の隙間を介して対向配置される駆動用コイルと、駆動用コイルよりも被写体側に配置される磁性部材とを備え、駆動用磁石部は、駆動用コイルとの対向位置で駆動用コイルを通過する磁束が発生するように着磁され、磁性部材は、光軸方向における駆動用磁石部の中間位置に向かって吸引されていることを特徴とする。
【０００７】
本発明のレンズ駆動装置では、レンズの光軸方向から見たときの形状が略四角形状となるレンズ駆動装置の四隅に略三角柱状の駆動用磁石部が配置されている。また、略三角筒状に巻回された駆動用コイルは、その内周側が駆動用磁石部の外周面と所定の隙間を介して対向するように配置されている。そのため、デッドスペースとなりやすいレンズ駆動装置の四隅に駆動用磁石部および駆動用コイルを配置することができる。
【０００８】
また、本発明では、略三角筒状に巻回された駆動用コイルの内周面が駆動用磁石部の外周面と所定の隙間を介して対向配置され、かつ、駆動用磁石部は、駆動用コイルとの対向位置で駆動用コイルを通過する磁束が発生するように着磁されている。そのため、駆動用磁石部の全周および駆動用コイルの全周を利用して可動体を駆動するための磁気回路を効率良く形成することができる。したがって、駆動用磁石部および駆動用コイルを小型化しても可動体を駆動するための所定の駆動力を得ることが可能になる。すなわち、可動体を駆動するための駆動力を確保しつつ駆動用磁石部および駆動用コイルを小型化することが可能になる。
【０００９】
このように、本発明では、駆動用磁石部および駆動用コイルの小型化が可能で、かつ、デッドスペースとなりやすいレンズ駆動装置の四隅に駆動用磁石部および駆動用コイルを配置することができる。したがって、本発明では、搭載されるレンズの径が大型化する場合であっても、レンズ駆動装置を小型化することが可能になる。
【００１０】
また、本発明では、駆動用コイルよりも被写体側に配置される磁性部材は、光軸方向における駆動用磁石部の中間位置に向かって吸引されている。そのため、駆動用磁石部と磁性部材との間に生じる吸引力を利用して所定の基準位置で可動体を保持することが可能になる。したがって、駆動用コイルに電流が供給されていない状態であっても、可動体のがたつきを防止することが可能になり、可動体と他の構成部品との接触を防止することが可能になる。
【００１１】
本発明において、レンズ駆動装置は、可動体を移動可能に保持する固定体を備え、たとえば、駆動用コイルおよび磁性部材は、可動体に取り付けられ、駆動用磁石部は、固定体に取り付けられている。
【００１２】
本発明において、磁性部材は、駆動用コイルの被写体側の端面に配置されていることが好ましい。このように構成すると、駆動用コイルの被写体側の端面を利用して磁性部材を配置することができるため、磁性部材を配置するための構成を別途、設ける必要がなくなる。したがって、レンズ駆動装置を小型化することが可能になる。
【００１３】
本発明において、駆動用磁石部は、光軸方向で重なるように配置される略三角柱状の２個の駆動用磁石片を備え、光軸方向における２個の駆動用磁石片同士の対向面はいずれも、同じ磁極に着磁され、磁性部材は、光軸方向における２個の駆動用磁石片の間に向かって吸引されていることが好ましい。このように構成すると、２個の駆動用磁石片同士の対向面の間において、駆動用コイルを通過する磁束の密度を高めることができる。したがって、可動体を駆動するための磁気回路をより効率良く形成することができ、駆動用磁石部および駆動用コイルをさらに小型化することが可能になる。
【００１４】
本発明において、レンズ駆動装置は、駆動用磁石片として、被写体側に配置される第１磁石片と、反被写体側に配置される第２磁石片とを備え、光軸方向における第１磁石片の長さは、光軸方向における第２磁石片の長さよりも長く、磁性部材は、光軸方向において、第１磁石片の反被写体側の端面よりも被写体側に配置されていることが好ましい。駆動用磁石部の周囲に発生する磁束の強度は、２個の駆動用磁石片の対向面から光軸方向に遠ざかるにしたがって、初めは急激に減少するが、次第にその減少率が小さくなっていく。そのため、このように構成すると、駆動用磁石部の、磁束の強度の減少率が緩やかな部分の外周面に対向するように磁性部材を配置することが可能になる。したがって、可動体が光軸方向に移動したときの、駆動用磁石部と磁性部材との間の吸引力の急激な変動を抑制することが可能になり、可動体の可動範囲内において、駆動用磁石部と磁性部材との間で安定した吸引力を得ることが可能になる。
【００１５】
本発明において、駆動用磁石部は、レンズ駆動装置の四隅に配置され、磁性部材は、略円環状に形成され、駆動用磁石部よりもレンズ駆動装置の径方向の内側に配置されていることが好ましい。このように構成すると、駆動用磁石部と磁性部材との間に生じる吸引力の周方向での変動を抑制することが可能になる。また、磁性部材によって、駆動用コイルと他の構成部品との接触を防止することが可能になり、駆動用コイル等の損傷を防止することが可能になる。たとえば、レンズ駆動装置が可動体を保持する板バネを備えている場合には、磁性部材によって、駆動用コイルと板バネとの接触を防止することが可能になる。
【００１６】
本発明において、レンズ駆動装置は、駆動用磁石部と磁性部材との間に生じる吸引力によって光軸方向に付勢された可動体が当接する当接部材を備え、可動体が当接部材に当接している所定の基準位置に可動体があるときに、光軸方向における駆動用磁石部の磁気的中心位置と光軸方向における駆動用コイルの中心位置とがずれ、かつ、可動体が可動範囲内の所定位置にあるときに、光軸方向における駆動用磁石部の磁気的中心位置と光軸方向における駆動用コイルの中心位置とが一致するように、駆動用磁石部と駆動用コイルとが配置されていることが好ましい。このように構成すると、可動体の可動範囲内において、可動体の駆動力の変動量を低減することが可能になる。
【００１７】
すなわち、光軸方向において駆動用磁石部の磁気的中心位置と駆動用コイルの中心位置とが一致するときに、可動体の駆動力は最大になるため、所定の基準位置に可動体があるときに、光軸方向における駆動用磁石部の磁気的中心位置と光軸方向における駆動用コイルの中心位置とが一致していると、基準位置からの可動体の移動量が大きくなるにしたがって、可動体の駆動力が低下していく。その結果、この場合には、可動体の可動範囲内において、可動体の駆動力の変動量が大きくなる。これに対して、可動体の可動範囲内の所定位置で、光軸方向における駆動用磁石部の磁気的中心位置と光軸方向における駆動用コイルの中心位置とが一致するように、駆動用磁石部と駆動用コイルとが配置されていると、基準位置から移動する可動体の駆動力は、光軸方向において、駆動用磁石部の磁気的中心位置と駆動用コイルの中心位置とが一致するまで増加した後に低下する。そのため、この場合には、可動体の可動範囲内において、可動体の駆動力の変動量を低減することが可能になる。
【００１８】
本発明において、光軸方向における駆動用コイルの幅は、光軸方向で対向する２個の駆動用磁石片同士の対向面の間の距離以上となっていることが好ましい。このように構成すると、可動体の可動範囲内において、駆動用コイルを通過する磁束の密度の変動を抑制することが可能になる。したがって、可動体の可動範囲内において、可動体の駆動力の変動を抑制することが可能になり、可動体を安定して駆動させることが可能になる。
【発明の効果】
【００１９】
以上のように、本発明では、レンズの光軸方向から見たときの形状が略四角形状となるレンズ駆動装置において、搭載されるレンズの径が大型化する場合であっても、レンズ駆動装置を小型化することが可能になる。
【図面の簡単な説明】
【００２０】
【図１】本発明の実施の形態にかかるレンズ駆動装置の斜視図である。
【図２】図１のＥ−Ｅ断面の断面図である。
【図３】図１に示すレンズ駆動装置の分解斜視図である。
【図４】図３のＧ部の分解斜視図である。
【図５】図２に示す駆動用磁石部および駆動用コイルの配置関係を説明するための斜視図である。
【図６】図５に示す駆動用磁石部および駆動用コイルの側面図である。
【図７】図６のＨ−Ｈ方向から駆動用磁石片および駆動用コイルを示す図である。
【図８】図１のレンズ駆動装置の四隅に配置される駆動用磁石部の着磁状態を説明するための図である。
【図９】図２のＪ部の拡大図であり、（Ａ）は可動体が基準位置にあるときの状態を示す図、（Ｂ）は可動体が最も被写体側に移動したときの状態を示す図である。
【図１０】図４に示す駆動用コイルとコイル保護部材との配置関係を説明するための平面図である。
【発明を実施するための形態】
【００２１】
以下、本発明の実施の形態を図面に基づいて説明する。
【００２２】
（レンズ駆動装置の概略構成）
図１は、本発明の実施の形態にかかるレンズ駆動装置１の斜視図である。図２は、図１のＥ−Ｅ断面の断面図である。図３は、図１に示すレンズ駆動装置１の分解斜視図である。図４は、図３のＧ部の分解斜視図である。図５は、図２に示す駆動用磁石部１７および駆動用コイル１８の配置関係を説明するための斜視図である。
【００２３】
本形態のレンズ駆動装置１は、携帯電話等で使用される比較的小型のカメラに搭載されるものであり、図１に示すように、全体として略四角柱状に形成されている。すなわち、レンズ駆動装置１は、撮影用のレンズの光軸Ｌの方向（光軸方向）から見たときの形状が略四角形状となるように形成されている。本形態では、レンズ駆動装置１は、光軸方向から見たときの形状が略正方形状となるように形成されている。
【００２４】
本形態のレンズ駆動装置１が搭載されるカメラでは、図２の下側（すなわち、Ｚ２方向側）に図示を省略する撮像素子が配置されており、図２の上側（すなわち、Ｚ１方向側）に配置される被写体が撮影される。したがって、以下の説明では、Ｚ１方向側を被写体側、Ｚ２方向側を反被写体側（撮像素子側）とする。また、以下の説明では、光軸Ｌに直交するとともに互いに直交する２方向をＸ方向、Ｙ方向とする。また、Ｘ方向とＹ方向とから形成される平面をＸＹ平面とする。本形態では、レンズ駆動装置１の４つの側面は、Ｘ方向またはＹ方向と平行になっている。
【００２５】
レンズ駆動装置１は、図１、図２に示すように、撮影用のレンズを保持し光軸方向に移動可能な可動体２と、可動体２を光軸方向に移動可能に保持する固定体３と、可動体２を光軸方向へ駆動するための駆動機構４とを備えている。可動体２は、２種類の板バネ５、６（図３参照）を介して固定体３に移動可能に保持されている。なお、図２では、板バネ５、６の図示を省略している。
【００２６】
可動体２は、複数のレンズが固定されたレンズホルダ７を保持するスリーブ８と、駆動機構４を構成する後述の駆動用コイル１８の端部が半田付け等で電気的に接続されて固定されるコイル端固定部材９、１０とを備えている。なお、図２では、コイル端固定部材９、１０の図示を省略し、図３では、レンズホルダ７の図示を省略している。
【００２７】
レンズホルダ７は、略円筒状に形成されており、その内周側に、光軸方向から見たときの形状が略円形状となる複数のレンズが固定されている。本形態では、レンズホルダ７の被写体側に径の小さな小径レンズが配置され、反被写体側に小径レンズよりも径の大きな大径レンズが配置されている。そのため、図２に示すように、レンズホルダ７の被写体側の外径は、反被写体側の外径よりも小さくなっている。また、レンズホルダ７の被写体側の外周面には、オネジが形成されている。
【００２８】
スリーブ８は、筒状に形成されており、その内周側でレンズホルダ７を保持している。すなわち、スリーブ８の内周面には、レンズホルダ７の外周面に形成されるオネジと係合するメネジが形成されている。また、本形態では、レンズホルダ７の被写体側の外径が反被写体側の外径よりも小さくなっているため、スリーブ８の被写体側の外径が反被写体側の外径よりも小さくなっている。
【００２９】
図４に示すように、スリーブ８の外周には、駆動機構４を構成する後述の磁性部材１９が載置される第１載置面８ａと、駆動機構４を構成する後述の駆動用コイル１８が載置される第２載置面８ｂとが形成されている。第１載置面８ａおよび第２載置面８ｂは、ＸＹ平面に平行な平面状に形成されるとともに、光軸Ｌを中心に略９０°ピッチで４箇所に形成されている。また、第１載置面８ａと第２載置面８ｂとは互いに、光軸Ｌを中心にして略４５°ずれた状態で形成されている。さらに、第１載置面８ａは、第２載置面８ｂよりも被写体側に形成されている。
【００３０】
コイル端固定部材９、１０は、導電性を有する金属材料で形成されている。本形態では、コイル端固定部材９は、３／４円弧状に形成され、コイル端固定部材１０は、１／４円弧状に形成されている。コイル端固定部材９、１０は、スリーブ８の反被写体側の端面に固定されている。
【００３１】
固定体３は、被写体側に配置される第１ケース体１１と、反被写体側に配置される第２ケース体１２とを備えている。
【００３２】
第１ケース体１１は、磁性材料で形成されるとともに、底部１１ａと筒部１１ｂとを有する底付きの略四角筒状に形成されている。被写体側に配置される底部１１ａの中心には、円形の貫通孔１１ｃが形成されている。第１ケース体１１は、可動体２および駆動機構４の外周側を囲むように配置されている。
【００３３】
第２ケース体１２は、たとえば、樹脂材料で形成されるとともに、略四角筒状に形成されている。第２ケース体１２には、図２に示すように、スリーブ８の反被写体側の端面が当接する当接面１２ａがＸＹ平面と平行に形成されている。また、第２ケース体１２には、図３に示すように、端子１３が固定されている。第２ケース体１２は、レンズホルダ７の反被写体側の外周側等を覆うように、第１ケース体１１の反被写体側に取り付けられている。
【００３４】
板バネ５は、スリーブ８に固定されるスリーブ固定部と、第１ケース体１１に固定されるケース体固定部と、スリーブ固定部とケース体固定部とを繋ぐバネ部とから構成され、可動体２の被写体側に配置されている。スリーブ固定部は、スリーブ８の被写体側の端面に固定されている。ケース体固定部は、略矩形の枠状に形成されたスペーサ１４を介して第１ケース体１１の底部１１ａの反被写体側の面に固定されている。すなわち、ケース体固定部は、底部１１ａの反被写体側の面に固定されたスペーサ１４に固定されている。
【００３５】
板バネ６は、スリーブ８に固定されるスリーブ固定部と、第２ケース体１２に固定されるケース体固定部と、スリーブ固定部とケース体固定部とを繋ぐバネ部とから構成され、可動体２の反被写体側に配置されている。スリーブ固定部は、コイル端固定部材９、１０を介してスリーブ８の反被写体側の端面に固定されている。すなわち、スリーブ固定部は、コイル端固定部材９、１０に固定されている。ケース体固定部は、第２ケース体１２の被写体側に形成される固定面に固定されている。
【００３６】
駆動機構４は、図２〜図５に示すように、レンズ駆動装置１の四隅（具体的には、第１ケース体１１の内側の四隅）に配置される略三角柱状の４個の駆動用磁石部１７と、略三角筒状に巻回され、その内周側が駆動用磁石部１７の外周面と所定の隙間を介して対向配置される４個の駆動用コイル１８と、駆動用コイル１８よりも被写体側に配置される磁性部材１９と、駆動用コイル１８の被写体側および反被写体側に取り付けられるコイル保護部材２０、２１とを備えている。以下、この駆動機構４の詳細な構成について説明する。
【００３７】
（駆動機構の構成）
図６は、図５に示す駆動用磁石部１７および駆動用コイル１８の側面図である。図７は、図６のＨ−Ｈ方向から駆動用磁石片２４および駆動用コイル１８を示す図である。図８は、図１のレンズ駆動装置１の四隅に配置される駆動用磁石部１７の着磁状態を説明するための図である。図９は、図２のＪ部の拡大図であり、（Ａ）は可動体２が基準位置にあるときの状態を示す図、（Ｂ）は可動体２が最も被写体側に移動したときの状態を示す図である。図１０は、図４に示す駆動用コイル１８とコイル保護部材２０、２１との配置関係を説明するための平面図である。
【００３８】
駆動用磁石部１７は、光軸方向で重なるように配置される略三角柱状の２個の駆動用磁石片２３、２４と、駆動用磁石片２３、２４の間に配置される磁性板２５とを備えている。本形態では、駆動用磁石片２３は被写体側に配置される第１磁石片であり、駆動用磁石片２４は反被写体側に配置される第２磁石片である。駆動用磁石片２３の反被写体側の端面には、磁性板２５の被写体側の面が固定され、駆動用磁石片２４の被写体側の端面には、磁性板２５の反被写体側の面が固定されている。
【００３９】
駆動用磁石片２３、２４は、光軸方向から見たときの形状が略直角二等辺三角形となるように形成されており、図７、図８に示すように、光軸Ｌに略平行でかつ互いに直交する矩形状の２個の平面部２３ａ、２４ａと、光軸Ｌに略平行でかつ２個の平面部２３ａ、２４ａを繋ぐ矩形状の１個の斜面部２３ｂ、２４ｂとを備えている。本形態では、図６、図９等に示すように、光軸方向における駆動用磁石片２３の長さは、光軸方向における駆動用磁石片２４の長さよりも長くなっている。
【００４０】
駆動用磁石片２３、２４は、第１ケース体１１の筒部１１ｂの内周面と平面部２３ａ、２４ａとが略平行になるように配置されている。すなわち、第１ケース体１１の内側の対角位置に配置される２個の駆動用磁石片２３、２４は、斜面部２３ｂ、２４ｂが互いに対向するように配置されている。また、駆動用磁石片２３は、第１ケース体１１の底部１１ａに固定されている。具体的には、駆動用磁石片２３の被写体側の端面が、底部１１ａの反被写体側の面に固定されており、駆動用磁石片２３の被写体側の端面は、底部１１ａの反被写体側の面に当接している。
【００４１】
磁性板２５は、磁性材料で形成されている。この磁性板２５は、光軸方向から見たときの形状が駆動用磁石片２３、２４と同様の略直角二等辺三角形状となる平板状に形成されている。
【００４２】
駆動用磁石片２４の反被写体側の端面には、磁性材料で形成された平板状の磁性板２６が固定されている。磁性板２６は、光軸方向から見たときの形状が略直角二等辺三角形状となるように形成されており、図８に示すように、その斜辺部と駆動用磁石片２４の斜面部２４ｂとが略平行になるように、駆動用磁石片２４に固定されている。また、磁性板２６は、第１ケース体１１の筒部１１ｂの内周面に当接している。
【００４３】
駆動用コイル１８は、図７に示すように、光軸方向から見たときの形状が略直角二等辺三角形状となるように巻回されており、図５、図７に示すように、光軸Ｌに略平行でかつ互いに直交する矩形状の２個の直交面部１８ａと、光軸Ｌに略平行でかつ２個の直交面部１８ａを繋ぐ矩形状の１個の斜面部１８ｂとを備えている。なお、本形態では、４個の駆動用コイル１８は、１本の導線が順次巻回されて形成されており、導線の端部の一方は、コイル端固定部材９に巻回されて接続され、導線の端部の他方は、コイル端固定部材１０に巻回されて接続されている。
【００４４】
４個の駆動用コイル１８は、スリーブ８の第２載置面８ｂに斜面部１８ｂが載置された状態でスリーブ８の外周面に固定されている。具体的には、駆動用コイル１８の内周面と駆動用磁石部１７の外周面とが所定の隙間を介して略平行になるように、略９０°ピッチで４個の駆動用コイル１８がスリーブ８の外周面に固定されており、駆動用コイル１８は、第１ケース体１１の内側の四隅に配置されている。なお、駆動用コイル１８は、第１ケース体１１の内周面との間に所定の隙間を保った状態で、第１ケース体１１の内側の四隅に配置されており、スリーブ８とともに光軸方向へ移動可能となっている。
【００４５】
光軸方向における駆動用コイル１８の幅は、光軸方向で対向する駆動用磁石片２３、２４の対向面同士の間の距離（すなわち、磁性板２５の厚さ）以上となっている。より具体的には、光軸方向における駆動用コイル１８の幅は、磁性板２５の厚さと、可動体２の可動距離との和以上となっている。また、本形態では、可動体２の可動範囲内において、磁性板２５が駆動用コイル１８の内周側に常に配置されるように、駆動用磁石部１７と駆動用コイル１８とが配置されている。すなわち、本形態では、駆動用コイル１８の反被写体側端が、駆動用磁石片２４の被写体側端よりも被写体側へ移動することがなく、かつ、駆動用コイル１８の被写体側端が、駆動用磁石片２３の反被写体側端よりも反被写体側へ移動することがないように、駆動用磁石部１７と駆動用コイル１８とが配置されている。
【００４６】
図６、図８に示すように、駆動用磁石部１７を構成する２個の駆動用磁石片２３、２４は、光軸方向において、同じ磁極同士（Ｓ極とＳ極、あるいは、Ｎ極とＮ極）が対向するように配置されている。すなわち、駆動用磁石片２３、２４同士の対向面は、いずれも同じ磁極に着磁されている。そのため、図６、図７に示すように、駆動用磁石片２３、２４の間には、駆動用コイル１８の直交面部１８ａおよび斜面部１８ｂを通過する磁束Ｆが発生している。すなわち、駆動用磁石部１７は、駆動用コイル１８との対向位置で駆動用コイル１８を通過する磁束Ｆが発生するように着磁されている。また、光軸方向における磁性板２５の中心が光軸方向における駆動用磁石部１７の磁気的中心位置ＣＬ１（図９参照）となっている。なお、本形態では、磁性板２５の厚さを変えることで、磁気的中心位置ＣＬ１の位置を任意に変えることが可能になっている。
【００４７】
図８に示すように、駆動用磁石部１７を構成する２個の駆動用磁石片２３、２４同士の対向面に形成される磁極は、レンズ駆動装置１の周方向で隣り合う他の２個の駆動用磁石片２３、２４同士の対向面に形成される磁極と異なっている。たとえば、図８の右側および左側に配置される駆動用磁石片２３、２４同士の対向面に形成される磁極はＳ極であり、図８の上側および下側に配置される駆動用磁石片２３、２４同士の対向面に形成される磁極はＮ極である。そのため、図８に示す例では、図８の上側および下側に配置される駆動用磁石片２３、２４の間から図８の右側および左側に配置される駆動用磁石片２３、２４の間へ向かう磁束Ｆが発生している。
【００４８】
なお、本形態では、２個の駆動用磁石片２３、２４同士の対向面に形成される磁極が周方向で隣り合う他の２個の駆動用磁石片２３、２４同士の対向面に形成される磁極と異なっているため、図８の上側および下側に配置される駆動用磁石片２３、２４の周囲に配置される駆動用コイル１８の巻回方向と、図８の右側および左側に配置される駆動用磁石片２３、２４の周囲に配置される駆動用コイル１８の巻回方向とが異なっている。
【００４９】
磁性部材１９は、磁性材料で形成されるとともに、図４に示すように、略円環状に形成されている。本形態の磁性部材１９は、平板状に形成されている。この磁性部材１９は、駆動用コイル１８の被写体側の端面に配置されている。具体的には、磁性部材１９は、斜面部１８ｂの被写体側の端面のほぼ全域を覆うように、斜面部１８ｂの被写体側の端面に固定されており、駆動用磁石部１７よりもレンズ駆動装置１の径方向の内側に配置されている。また、本形態では、光軸方向における第１載置面８ａと第２載置面８ｂとの間の距離と、光軸方向における駆動用コイル１８の幅とが略等しくなっており、磁性部材１９は、第１載置面８ａに載置された状態で駆動用コイル１８の被写体側の端面に固定されている。
【００５０】
上述のように、本形態では、可動体２の可動範囲内において、磁性板２５が駆動用コイル１８の内周側に常に配置されるように、駆動用磁石部１７と駆動用コイル１８とが配置されている。そのため、可動体２の可動範囲内において、磁性部材１９は、駆動用磁石片２３の反被写体側の端面よりも被写体側に配置されている。すなわち、磁性部材１９の径方向外側端が駆動用磁石片２３の斜面部２３ｂに対向するように、磁性部材１９は配置されている。
【００５１】
また、本形態では、可動体２の可動範囲内において、光軸方向における駆動用磁石片２３の中心位置よりも磁性部材１９が反被写体側に配置されるように、駆動用磁石部１７と駆動用コイル１８とが配置されている。すなわち、可動体２の可動範囲内において、光軸方向における駆動用磁石部１７の中間位置に向かって磁性部材１９が吸引されるように、駆動用磁石部１７と駆動用コイル１８とが配置されている。具体的には、駆動用磁石部１７の磁気的中心位置ＣＬ１に向かって磁性部材１９が吸引されるように、駆動用磁石部１７と駆動用コイル１８とが配置されている。すなわち、光軸方向における駆動用磁石片２３、２４の間に向かって磁性部材１９が吸引されるように、駆動用磁石部１７と駆動用コイル１８とが配置されている。
【００５２】
上述のように、磁性部材１９は、駆動用磁石部１７の磁気的中心位置ＣＬ１に向かって吸引されている。そのため、駆動用コイル１８に電流が供給されていないときには、磁性部材１９と駆動用磁石部１７との間に生じる吸引力によって、図２に示すように、スリーブ８の反被写体側の端面が第２ケース体１２の当接面１２ａに当接している。本形態の第２ケース体１２は、磁性部材１９と駆動用磁石部１７との間に生じる吸引力によって光軸方向に付勢された可動体２が当接する当接部材である。
【００５３】
なお、本形態では、板バネ５は、駆動用コイル１８に電流が供給されていないときに、反被写体側への付勢力が可動体２に発生するように、可動体２および固定体３に固定されている。また、板バネ６は、スリーブ８の反被写体側の端面が第２ケース体１２の当接面１２ａに当接しているときに、板バネ６による光軸方向への付勢力が可動体２に生じないように、可動体２および固定体３に固定されている。
【００５４】
スリーブ８の反被写体側の端面が第２ケース体１２の当接面１２ａに当接している所定の基準位置（初期位置）に可動体２があるときには、図９（Ａ）に示すように、光軸方向における駆動用コイル１８の中心位置ＣＬ２は、駆動用磁石部１７の磁気的中心位置ＣＬ１よりも反被写体側に配置されている。すなわち、可動体２が基準位置にあるときには、駆動用磁石部１７の磁気的中心位置ＣＬ１と駆動用コイル１８の中心位置ＣＬ２とがずれている。
【００５５】
また、駆動用コイル１８に電流が供給され、可動体２が最も被写体側に移動したときには、図９（Ｂ）に示すように、駆動用コイル１８の中心位置ＣＬ２は、駆動用磁石部１７の磁気的中心位置ＣＬ１よりも被写体側に配置されている。すなわち、可動体２が可動範囲内の所定位置にあるときに、駆動用磁石部１７の磁気的中心位置ＣＬ１と駆動用コイル１８の中心位置ＣＬ２とが一致する。具体的には、本形態では、基準位置にある可動体２が可動体２の可動範囲の約半分の距離、被写体側に移動したときに、駆動用磁石部１７の磁気的中心位置ＣＬ１と駆動用コイル１８の中心位置ＣＬ２とが一致する。
【００５６】
コイル保護部材２０、２１は、ＰＥＴ（ポリエチレンテレフタレート）等の比較的硬い樹脂材料または金属材料で形成されるとともに、図４に示すように、略矩形の枠状に形成されている。また、コイル保護部材２０、２１は、平板状に形成されている。本形態では、駆動用コイル１８の被写体側の端面にコイル保護部材２０が取り付けられ、駆動用コイル１８の反被写体側の端面にコイル保護部材２１が取り付けられている。具体的には、４個の駆動用コイル１８の直交面部１８ａの被写体側の端面にコイル保護部材２０が固定され、４個の駆動用コイル１８の直交面部１８ａの反被写体側の端面にコイル保護部材２１が固定されている。
【００５７】
図１０に示すように、コイル保護部材２０、２１のＸ方向外側端２０ａ、２１ａは、Ｘ方向に直交する直交面部１８ａの外周面よりもＸ方向の外側に突出している。また、コイル保護部材２０、２１のＹ方向外側端２０ｂ、２１ｂは、Ｙ方向に直交する直交面部１８ａの外周面よりもＹ方向の外側に突出している。また、本形態では、コイル保護部材２０、２１のＸ方向内側端２０ｃ、２１ｃは、Ｘ方向に直交する直交面部１８ａの内周面よりもＸ方向の内側に突出し、コイル保護部材２０、２１のＹ方向内側端２０ｄ、２１ｄは、Ｙ方向に直交する直交面部１８ａの内周面よりもＹ方向の内側に突出している。
【００５８】
そのため、たとえば、レンズ駆動装置１に衝撃が加わって、固定体３に対して可動体２がＸ方向やＹ方向に相対移動した場合、または、固定体３に対して可動体２が光軸方向を軸方向として相対回転した場合、あるいは、可動体２の光軸が傾いた場合等には、コイル保護部材２０、２１が第１ケース体１１の筒部１１ｂの内周面や駆動用磁石部１７に接触して、駆動用コイル１８を保護する。
【００５９】
（本形態の主な効果）
以上説明したように、本形態では、光軸方向から見たときの形状が略正方形状となるレンズ駆動装置１の四隅に略三角柱状の駆動用磁石部１７および略三角筒状の駆動用コイル１８が配置されている。そのため、光軸方向から見たときの形状が略円形状となるレンズを駆動するレンズ駆動装置１のデッドスペースとなるレンズ駆動装置１の四隅に駆動用磁石部１７および駆動用コイル１８を配置することができる。
【００６０】
また、本形態では、略三角筒状に巻回された駆動用コイル１８の内周面が駆動用磁石部１７の外周面と所定の隙間を介して対向配置され、かつ、駆動用磁石部１７は、駆動用コイル１８との対向位置で駆動用コイル１８を通過する磁束Ｆが発生するように着磁されている。そのため、駆動用磁石部１７の全周および駆動用コイル１８の全周を利用して可動体２を駆動するための磁気回路を効率良く形成することができる。したがって、駆動用磁石部１７および駆動用コイル１８を小型化しても可動体２を駆動するための所定の駆動力を得ることができる。すなわち、可動体２を駆動するための駆動力を確保しつつ駆動用磁石部１７および駆動用コイル１８を小型化することができる。
【００６１】
このように、本形態では、駆動用磁石部１７および駆動用コイル１８を小型化することができ、かつ、デッドスペースとなるレンズ駆動装置１の四隅に駆動用磁石部１７および駆動用コイル１８を配置することができる。したがって、本形態では、搭載されるレンズの径が大型化する場合であっても、レンズ駆動装置１を小型化することができる。
【００６２】
本形態では、駆動用コイル１８の被写体側の端面に磁性部材１９が配置され、この磁性部材１９は、光軸方向における駆動用磁石部１７の中間位置に向かって吸引されている。そのため、駆動用磁石部１７と磁性部材１９との間に生じる吸引力を利用して、スリーブ８の反被写体側の端面が第２ケース体１２の当接面１２ａに当接している基準位置で可動体２を保持することができる。したがって、駆動用コイル１８に電流が供給されていない状態であっても、可動体２のがたつきを防止することができ、可動体２と他の構成部品との接触を防止することができる。
【００６３】
本形態では、駆動用コイル１８の被写体側の端面に磁性部材１９が配置されている。そのため、磁性部材１９を配置するための構成を別途、設ける必要がなくなり、レンズ駆動装置１の構成を簡素化することが可能になる。また、本形態では、スリーブ８の、外径の小さな被写体側に磁性部材１９が配置されているため、径方向でレンズ駆動装置１を小型化することが可能になる。
【００６４】
本形態では、光軸方向で重なるように配置される２個の駆動用磁石片２３、２４同士の対向面はいずれも、同じ磁極に着磁されている。そのため、２個の駆動用磁石片２３、２４同士の対向面の間において、駆動用コイル１８を通過する磁束Ｆの密度を高めることができる。したがって、可動体２を駆動するための磁気回路をより効率良く形成することができ、駆動用磁石部１７および駆動用コイル１８をさらに小型化することができる。
【００６５】
本形態では、光軸方向における駆動用磁石片２３の長さは、光軸方向における駆動用磁石片２４の長さよりも長くなっている。また、可動体２の可動範囲内において、磁性部材１９は、駆動用磁石片２３の反被写体側の端面よりも被写体側に配置され、磁性部材１９の径方向外側端が駆動用磁石片２３の斜面部２３ｂに対向している。駆動用磁石部１７の周囲に発生する磁束Ｆの強度は、駆動用磁石片２３、２４の対向面から光軸方向に遠ざかるにしたがって、初めは急激に減少するが、次第にその減少率が小さくなっていく。本形態では、光軸方向の長さが長い駆動用磁石片２３の斜面部２３ｂに磁性部材１９の径方向外側端が対向しているため、駆動用磁石部１７の、磁束Ｆの強度の減少率が緩やかな部分の外周面に対向するように磁性部材１９を配置することができる。したがって、可動体２が光軸方向に移動しても駆動用磁石部１７と磁性部材１９との間に生じる吸引力が急激に変動するのを抑制することができ、駆動用磁石部１７と磁性部材１９との間で安定した吸引力を得ることが可能になる。
【００６６】
本形態では、磁性部材１９は、略円環状に形成され、斜面部１８ｂの被写体側の端面に固定されている。そのため、磁性部材１９によって、駆動用コイル１８と他の構成部品との接触を防止することが可能になり、駆動用コイル１８等の損傷を防止することが可能になる。たとえば、磁性部材１９によって、駆動用コイル１８と板バネ５との接触を防止することが可能になる。特に本形態では、磁性部材１９は、斜面部１８ｂの被写体側の端面のほぼ全域を覆うように、斜面部１８ｂの被写体側の端面に固定されているため、磁性部材１９によって、斜面部１８ｂの損傷を確実に防止することが可能になる。
【００６７】
本形態では、磁性部材１９は、略円環状に形成されている。そのため、駆動用磁石部１７と磁性部材１９との間に生じる吸引力の円周方向での変動を抑制することが可能になり、磁性部材１９の全周にわたって、ほぼ均一な吸引力を発生させることが可能になる。
【００６８】
本形態では、可動体２が基準位置にあるときに、駆動用磁石部１７の磁気的中心位置ＣＬ１と駆動用コイル１８の中心位置ＣＬ２とがずれ、可動体２が可動範囲内の所定位置にあるときに、駆動用磁石部１７の磁気的中心位置ＣＬ１と駆動用コイル１８の中心位置ＣＬ２とが一致する。そのため、可動体２の可動範囲内において、可動体２の駆動力の変動量を低減することが可能になる。
【００６９】
すなわち、駆動用磁石部１７の磁気的中心位置ＣＬ１と駆動用コイル１８の中心位置ＣＬ２とが一致するときに、可動体２の駆動力は最大になるため、可動体２が基準位置にあるときに、駆動用磁石部１７の磁気的中心位置ＣＬ１と駆動用コイル１８の中心位置ＣＬ２とが一致していると、基準位置からの可動体２の移動量が大きくなるにしたがって、可動体２の駆動力が低下していく。その結果、この場合には、可動体２の可動範囲内における可動体２の駆動力の変動量が大きくなる。これに対して、本形態では、基準位置から移動する可動体２の駆動力は、光軸方向において、駆動用磁石部１７の磁気的中心位置ＣＬ１と駆動用コイル１８の中心位置ＣＬ２とが一致するまで増加した後に低下する。そのため、本形態では、可動体２の可動範囲内における可動体２の駆動力の変動量を低減することが可能になる。
【００７０】
特に本形態では、板バネ５、６によって、可動体２が固定体３に移動可能に保持されているため、基準位置からの可動体２の移動量が大きくなるにしたがって、板バネ５、６の付勢力も大きくなり、可動体２の推力（駆動機構４による駆動力と板バネ５、６の付勢力等との和）が低下しやすくなり、可動体２の可動範囲内における可動体２の推力の変動量が大きくなるが、本形態では、可動体２の可動範囲内における可動体２の推力の変動量を低減することが可能になる。
【００７１】
本形態では、光軸方向における駆動用コイル１８の幅は、光軸方向で対向する駆動用磁石片２３、２４の対向面の間の距離と、可動体２の可動距離との和以上となっている。そのため、可動体２の可動範囲内において、駆動用コイル１８を通過する磁束Ｆの密度の変動を抑制することが可能になる。したがって、可動体２の可動範囲内において、可動体２の駆動力の変動を抑制することが可能になり、可動体２の駆動力を安定させることが可能になる。
【００７２】
（他の実施の形態）
上述した形態は、本発明の好適な形態の一例ではあるが、これに限定されるものではなく本発明の要旨を変更しない範囲において種々変形実施が可能である。
【００７３】
上述した形態では、駆動用磁石片２３、２４の間に磁性板２５が配置されているが、駆動用磁石片２３、２４同士の対向面の間に所定の隙間が形成されても良いし、駆動用磁石片２３、２４同士の対向面が当接していても良い。また、上述した形態では、駆動用磁石部１７は、２個の駆動用磁石片２３、２４と磁性板２５とによって構成されているが、駆動用磁石部１７は、１個の駆動用磁石片のみによって構成されても良い。この場合には、この駆動用磁石片は、光軸方向の両端に形成される磁極と光軸方向の中間位置に形成される磁極とが異なるように着磁されている。すなわち、この駆動用磁石片は、駆動用コイル１８との対向位置で駆動用コイル１８を通過する磁束Ｆが発生するように着磁されている。また、この場合には、この駆動用磁石片の中間位置に向かって、磁性部材１９が吸引される。
【００７４】
上述した形態では、磁性部材１９は、略円環状に形成されているが、磁性部材１９は、略円環状に形成されていなくても良い。たとえば、磁性部材１９は、略円弧状に形成されても良い。この場合には、複数の磁性部材１９が駆動用コイル１８の被写体側の面に固定されても良い。また、複数の磁性部材１９が駆動用コイル１８の被写体側の面に固定される場合には、駆動用磁石部１７と磁性部材１９との間に生じる吸引力の円周方向での変動を抑制するため、複数の磁性部材１９は等角度ピッチで配置されることが好ましい。
【００７５】
上述した形態では、磁性部材１９は、駆動用磁石部１７よりもレンズ駆動装置１の径方向の内側に配置されているが、磁性部材１９は、駆動用磁石部１７よりもレンズ駆動装置１の径方向の外側に配置されても良い。この場合には、たとえば、コイル保護部材２０と同形状に磁性部材１９を形成して、磁性部材１９にコイル保護部材２０の機能を持たせても良い。コイル保護部材２０と同形状に磁性部材１９を形成する場合には、コイル保持部材２０を別途設ける必要がなくなるため、レンズ駆動装置１の構成を簡素化することが可能になる。また、磁性部材１９は、レンズ駆動装置１の径方向における駆動用磁石部１７の内側および外側の両方に配置されても良い。
【００７６】
上述した形態では、磁性部材１９は、斜面部１８ｂの被写体側の端面に固定されている。この他にもたとえば、スリーブ８に磁性部材１９の固定部を形成して、この固定部に磁性部材１９を固定しても良い。また、たとえば、斜面部１８ｂの被写体側の端面を覆うようにコイル保護部材２０を形成して、コイル保護部材２０の被写体側の面に磁性部材１９を固定しても良い。
【００７７】
上述した形態では、光軸方向における駆動用磁石片２３の長さは、光軸方向における駆動用磁石片２４の長さよりも長くなっている。この他にもたとえば、光軸方向における駆動用磁石片２３の長さと駆動用磁石片２４の長さとが等しくても良いし、光軸方向における駆動用磁石片２３の長さが光軸方向における駆動用磁石片２４の長さよりも短くても良い。
【００７８】
上述した形態では、可動体２が基準位置にあるときに、駆動用磁石部１７の磁気的中心位置ＣＬ１と駆動用コイル１８の中心位置ＣＬ２とがずれている。この他にもたとえば、可動体２が基準位置にあるときに、駆動用磁石部１７の磁気的中心位置ＣＬ１と駆動用コイル１８の中心位置ＣＬ２とが一致していても良い。駆動用磁石部１７の磁気的中心位置ＣＬ１と磁性部材１９との間に発生する吸引力は、可動体２の移動量が大きくなるにしたがって低下するため、このように構成した方が、可動体２の可動範囲内において、可動体２の推力の変動量を低減することができる場合もある。
【００７９】
なお、可動体２の推力は、駆動用磁石部１７の磁気的中心位置ＣＬ１、光軸方向における駆動用コイル１８の長さ、駆動用コイル１８の配置位置、磁性板２５の厚さ、磁性部材１９の配置位置および板バネ５、６のバネ力等をバランス良く設定することで、最適化することができる。
【００８０】
上述した形態では、レンズ駆動装置１の四隅に駆動用磁石部１７および駆動用コイル１８が配置されている。この他にもたとえば、可動体２の駆動力を得ることができるのであれば、レンズ駆動装置１の四隅の３箇所、２箇所あるいは１箇所のみに駆動用磁石部１７および駆動用コイル１８が配置されても良い。この場合には、駆動用磁石部１７および駆動用コイル１８が配置されないレンズ駆動装置１の隅部に可動体２を光軸方向へ案内するためのガイド軸が配置され、このガイド軸に係合する係合凹部がスリーブ８に形成されても良い。
【００８１】
上述した形態では、可動体２側に駆動用コイル１８が固定され、固定体３側に駆動用磁石部１７が固定されているが、可動体２側に駆動用磁石部１７が固定され、固定体３側に駆動用コイル１８が固定されても良い。なお、上述した形態では、可動体２の可動範囲内において、光軸方向における駆動用磁石部１７の中間位置に向かって磁性部材１９が吸引されるように、駆動用磁石部１７と駆動用コイル１８とが配置されているが、可動体２が被写体側に移動したときに、駆動用磁石部１７の被写体側に向かって磁性部材１９が吸引されるように、駆動用磁石部１７と駆動用コイル１８とが配置されても良い。
【符号の説明】
【００８２】
１  レンズ駆動装置
２  可動体
３  固定体
４  駆動機構
１２  第２ケース体（当接部材）
１７  駆動用磁石部
１８  駆動用コイル
１９  磁性部材
２３  駆動用磁石片（第１磁石片）
２４  駆動用磁石片（第２磁石片）
ＣＬ１  駆動用磁石部の磁気的中心位置
ＣＬ２  駆動用コイルの中心位置
Ｆ  磁束
Ｌ  光軸
Ｚ１  被写体側
Ｚ２  反被写体側
【図１】
2010169900.tif 000003
【図２】
2010169900.tif 000004
【図３】
2010169900.tif 000005
【図４】
2010169900.tif 000006
【図５】
2010169900.tif 000007
【図６】
2010169900.tif 000008
【図７】
2010169900.tif 000009
【図８】
2010169900.tif 000010
【図９】
2010169900.tif 000011
【図１０】
2010169900.tif 000012